(57)【要約】【課題】  当該印刷ジョブの所有者に処理方法の通知を行うことで、迅速な電源断または印刷ジョブの保護を選択できるとともに、印刷データが破棄された場合にはすみやかに当該ジョブの所有者に通知することができるプリントシステムを提供すること。【解決手段】  シャットダウンモードを設け、シャットダウンが行われた際スプールされているジョブをプリント、削除の選択ができ、選択された処理が行われたことを当該ジョブの所有者に通知する。【選択図】        図１
2006268117.tif 000002
【特許請求の範囲】
【請求項１】
ネットワーク上のホストコンピュータからの指示により出力を行うプリントシステムにおいて、
画像形成装置に接続される外部通信手段、
前記外部装置から画像データを入力する入力手段、
前記入力手段から入力された画像データをラスタ画像データに展開する展開手段、
前記展開手段によって展開された画像を記憶する記憶手段、
機器シャットダウン時の動作を指示する指示手段、
前記指示手段によって指示された動作に従ってユーザに通知を行う通知手段、
を有し、未処理の印刷ジョブが残っている状態のプリントシステムをシャットダウンする際、前記指示手段より前記未処理の印刷ジョブの処理方法を設定し、前記設定に基づき前記通知手段より当該印刷ジョブのユーザに対して前記処理方法の通知を行うことを特徴とするプリントシステム。
【請求項２】
請求項１に記載のプリントシステムにおいて、シャットダウンに際し未処理の印刷ジョブを全て印刷し、当該ジョブのユーザに対してジョブが印刷された旨通知を行った後実際のシャットダウンを行うことを特徴とするプリントシステム。
【請求項３】
請求項１に記載のプリントシステムにおいて、シャットダウンに際し未処理の印刷ジョブを全て削除し、当該ジョブのユーザに対してジョブが削除された旨通知を行った後実際のシャットダウンを行うことを特徴とするプリントシステム。
【請求項４】
請求項１に記載のプリントシステムにおいて、シャットダウンに際し未処理のジョブに対する処理方法を予め設定しておくことができることを特徴とするプリントシステム。
【請求項５】
請求項１に記載のプリントシステムにおいて、シャットダウンに際し未処理のジョブに対する処理方法として全てのジョブをプリントすると設定されていた場合、操作者に対して確認を行うことなく全てのジョブを印刷した後実際のシャットダウンを行うことを特徴とするプリントシステム。
【請求項６】
請求項１に記載のプリントシステムにおいて、シャットダウンに際し未処理のジョブに対する処理方法として全てのジョブを削除すると設定されていた場合、操作者に対して確認を行うことなく全てのジョブを削除した後実際のシャットダウンを行うことを特徴とするプリントシステム。
【請求項７】
請求項１に記載のプリントシステムにおいて、シャットダウンに際し未処理のジョブに対する処理方法を予め設定していた場合、当該ジョブの所有者に対する通知を禁止できることを特徴とするプリントシステム。
【請求項８】
請求項１に記載のプリントシステムにおいて、前記画像形成装置はプリンタであることを特徴とするプリントシステム。
【請求項９】
請求項１に記載のプリントシステムにおいて、前記外部装置はホストコンピュータであることを特徴とするプリントシステム。
【請求項１０】
請求項１に記載のプリントシステムにおいて、前記外部通信手段はエンジンインタフェースであることを特徴とするプリントシステム。
【請求項１１】
請求項１に記載のプリントシステムにおいて、前記展開手段は中央演算処理装置であることを特徴とするプリントシステム。
【請求項１２】
請求項１に記載のプリントシステムにおいて、前記記憶手段はフレームメモリであることを特徴とするプリントシステム。
【請求項１３】
請求項１に記載のプリントシステムにおいて、前記記憶手段は不揮発性メモリであることを特徴とするプリントシステム。
【請求項１４】
請求項１に記載のプリントシステムにおいて、前記記憶手段はハードディスクであることを特徴とするプリントシステム。
【請求項１５】
請求項１に記載のプリントシステムにおいて、前記指示手段はプリンタドライバであることを特徴とするプリントシステム。
【請求項１６】
請求項１に記載のプリントシステムにおいて、前記指示手段は操作パネルであることを特徴とするプリントシステム。
【発明の詳細な説明】
【技術分野】
【０００１】
本発明は、デジタル複写機に接続されたプリントシステムに関するものである。
【背景技術】
【０００２】
近年様々なデジタル複写機が普及しており、このデジタル複写機に対して各種インタフェース装置を接続し、ホストコンピュータから画像データの出力を行えるようなシステムが開発されている。
【０００３】
また、特許文献１には、カスケード接続によって複数のデバイスがつながっているシリアルバスインタフェース上でリピータ動作に影響を与えないよう単独で省電力動作を行う技術の記載がある。
【特許文献１】特開２００３−０４４１８４号公報
【発明の開示】
【発明が解決しようとする課題】
【０００４】
ネットワークで共有されているプリントシステムでは複数の人から印刷データが投入されるが、他者のデータがスプールされていることを知らずに不用意に電源を落としてしまったり、設定を変更するために再起動を行ったりする場合スプールデータが消去されてしまうという問題がある。スプールデータが消去された場合、当該データをスプールしていたユーザが出力を確認しようとしたところでジョブが消去されていたことに気づくことになり、作業効率を低下されることとなっていた。
【０００５】
本発明では上述の点に鑑みて成されたものであり、ネットワーク上のホストコンピュータからの指示により出力を行うプリントシステムにおいて、機器の電源を落とす際明示的にシャットダウンを行うことをユーザに支持させると同時に現在スプール済みの印刷データの処理方法（印刷または破棄）を指示させる。その指示に基づき当該印刷ジョブの所有者に処理方法の通知を行うことで、迅速な電源断または印刷ジョブの保護を選択できるとともに、印刷データが破棄された場合にはすみやかに当該ジョブの所有者に通知することができるプリントシステムを提供することを目的としている。
【課題を解決するための手段】
【０００６】
上記目的を達成するために本願発明は、
ネットワーク上のホストコンピュータからの指示により出力を行うプリントシステムにおいて、
画像形成装置に接続される外部通信手段、
前記外部装置から画像データを入力する入力手段、
前記入力手段から入力された画像データをラスタ画像データに展開する展開手段、
前記展開手段によって展開された画像を記憶する記憶手段、
機器シャットダウン時の動作を指示する指示手段、
前記指示手段によって指示された動作に従ってユーザに通知を行う通知手段、
を有し、未処理の印刷ジョブが残っている状態のプリントシステムをシャットダウンする際、前記指示手段より前記未処理の印刷ジョブの処理方法を設定し、前記設定に基づき前記通知手段より当該印刷ジョブのユーザに対して前記処理方法の通知を行うことを特徴とする。
【発明の効果】
【０００７】
本発明によればネットワーク上のホストコンピュータからの指示により出力を行うプリントシステムにおいて、機器の電源を落とす際明示的にシャットダウンを行うことをユーザに支持させると同時に現在スプール済みの印刷データの処理方法（印刷または破棄）を指示させる。その指示に基づき当該印刷ジョブの所有者に処理方法の通知を行うことで、迅速な電源断または印刷ジョブの保護を選択できるとともに、印刷データが破棄された場合にはすみやかに当該ジョブの所有者に通知することができるプリントシステムを提供することができる。
【発明を実施するための最良の形態】
【０００８】
以下、本発明の実施例を説明する。
【実施例１】
【０００９】
まず、画像処理装置について図１を用いて説明する。１は本発明の中心をなす画像処理装置であり、その内部概略構成図を示す。２はホストコンピュータであり、インタフェースケーブル３によって外部Ｉ／Ｆ４を介して、画像処理装置１と接続される。画像形成装置２１は、インタフェースケーブル２０によってエンジンインタフェース１９を介して、画像処理装置１と接続される。本図では画像形成装置は画像処理装置の外部に接続されているが、同一筐体に内蔵されている場合も同様である。
【００１０】
第一のＣＰＵ（中央演算処理装置）８は外部に接続される画像形成装置以外のＩ／Ｏをコントロールするものである。第一のＣＰＵバス５には、ホストコンピュータ２とのインタフェースとなる外部Ｉ／Ｆ４、メモリ１（プログラムメモリ）９、Ｉ／Ｏバス１１をコントロールするＩ／Ｏバスコントローラ１０などが接続されている。また第二のＣＰＵ１６の第二のＣＰＵバス６と結合できるようにバスコントローラ７も接続されている。第二のＣＰＵ１６については後述する。Ｉ／Ｏバスコントローラ１０は、Ｉ／Ｏバス１１に接続されたフロッピー（登録商標）ディスクドライブ１２、ハードディスクドライブ１３、ＬＣＤコントローラ１４、図示していないが操作部などの汎用Ｉ／Ｏをコントロールしている。
【００１１】
第二のＣＰＵ１６は接続される画像形成装置２１のコントロール、さらに、フレームメモリ１５に格納される画像データの展開を行う。第二のメモリ１７はプログラムメモリであり、電源投入時にハードディスクドライブ１３から、バスコントローラ７を介して、制御プログラムがロードされる。また、第二のメモリ１７は第一のＣＰＵ８との通信にも用いられる。第二のＣＰＵバス６にはエンジンインタフェース１９が接続され、各種設定を行いながら、画像形成装置２０をコントロールする。ビデオバス１８は画像専用のバスであり、第二のＣＰＵ１６で展開され、フレームメモリ１５に格納された画像データは、ビデオバス１８を通ってエンジンインタフェース１９に送られ、さらに画像形成装置２１へと送られる。
【００１２】
次に、画像処理装置に接続される画像形成装置について図２を用いて説明する。２２はエンジンインタフェースであり、インタフェースケーブル２０を介して画像処理装置１と接続される。画像形成装置１より送られた画像データは、感光ドラム２４上に潜像され、現像器２３によって画像形成される。給紙制御部２６は画像処理装置１からの指示に応じて、給紙部２９または中間排紙トレイ２８から給紙を行い、転写ドラム２５に用紙を装着する。その後、転写ドラム２５に装着された用紙上に、感光ドラム上に形成された画像を転写し、定着器２７によって画像の定着を行う。画像の定着後、画像処理装置の指示に応じて用紙を排紙部３０へ排紙するか、中間排紙トレイ２８へ格納する。またスキャナ３１で読み取った画像データは制御部３２で処理され、前記画像形成装置１より送られた画像データと同様に印刷が行われる。
【００１３】
次に、画像処理装置のシャットダウンを行う際の操作パネルについて図３、図４および図５を用いて説明する。図３、図４および図５はシャットダウン操作時のパネルの外観である。
【００１４】
図３はプリンタの設定画面である。シャットダウンを行う際はこの画面よりシャットダウン操作に割り当てられたボタンを押下することによってシャットダウンを指示することができる。この画面よりシャットダウンを行わずに前の画面に復帰する場合は［Ｕｐ］ボタンを押下する。シャットダウンに割り当てられたボタンを押下するとその時に画像処理装置のスプールにジョブが残っているかいないかで表示される画面が変化する。
【００１５】
図４は画像処理装置に未処理のジョブが残っていない場合の画面である。画像処理装置にジョブがスプールされていない場合、そのままシャットダウンを行うか否かの確認画面が表示される。ここで［Ｙｅｓ］ボタンが押下された場合、画像処理装置はシャットダウン状態となる。［Ｎｏ］ボタンが押下された場合、シャットダウン処理を中断して前の画面に復帰する。
【００１６】
図５は画像処理装置に未処理のジョブが残っている場合の画面である。画像処理装置にジョブがスプールされている場合、未処理のジョブに対する処理の確認画面が表示される。ここで［プリント］ボタンが押下された場合、スプールされている未処理のジョブを全て印刷した後、画像処理装置はシャットダウン状態となる。また、その際に出力されたジョブの所有者に対してそれぞれの印刷ジョブが出力された旨通知が行われる。［削除］ボタンが押下された場合、スプールされている未処理のジョブを全て削除した後、画像処理装置はシャットダウン状態となる。また、その際に削除されたジョブの所有者に対してそれぞれの印刷ジョブが削除された旨通知が行われる。［Ｃａｎｃｅｌ］ボタンが押下された場合、シャットダウン処理を中断して前の画面に復帰する。
【００１７】
次にシャットダウンが指示された際の処理の流れについて図６を用いて説明する。図６はシャットダウン処理のフローチャートである。まず、Ｓ６０１において画像処理装置のスプールに未処理のジョブが残っているか否かをチェックする。未処理のジョブが残っていなかった場合、Ｓ６０２においてユーザに対して実際にシャットダウンを行うか否かの確認を行う。ここでユーザよりシャットダウンを行うことが選択された場合Ｓ６０３においてシャットダウン処理を行い終了する。Ｓ６０２においてシャットダウンを行わないことが選択された場合、シャットダウン処理は行わず処理を終了する。Ｓ６０１において画像処理装置のスプールに未処理のジョブが残っていた場合、Ｓ６０４においてユーザに対して未処理のジョブの処理としてプリント、削除またはシャットダウン処理の中止のいずれかの処理を選択するよう確認を行う。Ｓ６０４において未処理のジョブに対してプリントすることが選択された場合、Ｓ６０５においてプリント処理を行うと共に、Ｓ６０６において当該ジョブのユーザに対してプリント処理が行われた旨通知した後Ｓ６０３においてシャットダウン処理を行い終了する。Ｓ６０４においてプリントが選択されなかった場合、続いてＳ６０７において未処理のジョブに対して削除が選択されたか否かをチェックする。Ｓ６０７において未処理のジョブに対して削除することが選択された場合、Ｓ６０８において削除処理を行うと共に、Ｓ６０９において当該ジョブのユーザに対して削除処理が行われた旨通知した後Ｓ６０３においてシャットダウン処理を行い終了する。Ｓ６０７において削除も選択されなかった場合、シャットダウン処理を行わずに処理を終了する。
【実施例２】
【００１８】
実施例１ではシャットダウン指示された際に未処理のジョブが残っていた場合、その都度未処理ジョブに対する処理をユーザより指示させていたが、実施例２ではシャットダウン時に未処理ジョブが残っていた場合の処理を予め設定しておき、シャットダウン実行時には操作者への確認無しに予め設定されている処理を行う。ここでは実施例１との差分のみを示す。
【００１９】
シャットダウン時の未処理ジョブに対する動作を設定する操作パネルについて図７および図８を用いて説明する。図７および図８はシャットダウン時の未処理ジョブに対する動作を設定する操作パネルの外観である。図７は画像処理装置の仕様設定画面である。シャットダウン時の動作を変更する場合、割り当てられているボタンを押下することによって設定画面へと遷移する。現在の状態は画面上に表示されており、図７の場合は「常に確認する」状態になっている。図８はシャットダウン時の動作を設定する画面である。図８の場合は「常に確認する」が選択されているためそのボタンが反転表示されている。シャットダウン時に未処理ジョブの処理方法を常に選択できるようにする場合は「常に確認する」を選択し、［ＯＫ］ボタンを押下する。シャットダウン時に未処理ジョブを常に印刷する場合は「常に印刷する」を選択し、［ＯＫ］ボタンを押下する。シャットダウン時に未処理ジョブを常に削除する場合は「常に削除する」を選択し、［ＯＫ］ボタンを押下する。現在の設定のまま変更しない場合は［Ｃａｎｃｅｌ］ボタンを押下する。
【００２０】
次に予めシャットダウン時の動作が設定されている場合の処理の流れについて図９を用いて説明する。図９は予めシャットダウン時の動作が設定されている場合の処理のフローチャートである。まず、Ｓ９０１において画像処理装置のスプールに未処理のジョブが残っているか否かをチェックする。未処理のジョブが残っていなかった場合、Ｓ９０２においてユーザに対して実際にシャットダウンを行うか否かの確認を行う。ここでユーザよりシャットダウンを行うことが選択された場合Ｓ９０３においてシャットダウン処理を行い終了する。Ｓ９０２においてシャットダウンを行わないことが選択された場合、シャットダウン処理は行わず処理を終了する。Ｓ９０１において画像処理装置のスプールに未処理のジョブが残っていた場合、Ｓ９０４においてシャットダウン時の動作をその都度確認するか否かをチェックする。ここでシャットダウン時の動作をその都度チェックする設定になっていた場合、図６におけるＳ６０４以降と同等の処理を行う。Ｓ９０４においてシャットダウン時の動作が予め印刷または削除に設定されていた場合、Ｓ９０５においてその設定が印刷であるか否かをチェックする。設定が印刷であった場合、Ｓ９０６においてプリント処理を行うと共に、Ｓ９０７において当該ジョブのユーザに対してプリント処理が行われた旨通知した後Ｓ９０３においてシャットダウン処理を行い終了する。Ｓ９０５において印刷する設定ではなかった場合削除する設定であるため、Ｓ９０８において削除処理を行うと共に、Ｓ９０９において当該ジョブのユーザに対して削除処理が行われた旨通知した後Ｓ９０３においてシャットダウン処理を行い終了する。
【実施例３】
【００２１】
実施例２ではシャットダウン時の動作が予め印刷または削除に設定されていた場合でもそのジョブの所有者に対して処理結果を通知していたが、シャットダウン時の動作が予め設定されている場合にはジョブの所有者に対して通知を行わないことも実施例の一つである。
【図面の簡単な説明】
【００２２】
【図１】画像処理装置のブロック図
【図２】画像形成装置のブロック図
【図３】シャットダウンを指示するパネルの外観を示す図
【図４】未処理ジョブがなかった場合の確認画面を示す図
【図５】未処理ジョブがあった場合の確認画面を示す図
【図６】シャットダウン処理のフローチャート
【図７】シャットダウン時の動作を示すパネルの外観を示す図
【図８】シャットダウン時の動作を設定するパネルの外観を示す図
【図９】予めシャットダウン時の動作が設定されている場合の処理のフローチャート
【符号の説明】
【００２３】
１  画像処理装置
２  ホストコンピュータ
３  インタフェースケーブル
４  外部Ｉ／Ｆ
５  ＣＰＵＢＵＳ１
６  ＣＰＵＢＵＳ２
７  ＢＵＳコントローラ
８  ＣＰＵ１
９  メモリ１
１０  Ｉ／ＯＢＵＳコントローラ
１１  Ｉ／ＯＢＵＳ
１２  ＦＤＤ
１３  ＨＤＤ
１４  ＬＣＤコントローラ
１５  フレームメモリ
１６  ＣＰＵ２
１７  メモリ２
１８  ＶｉｄｅoＢＵＳ
１９  エンジンインタフェース
２０  インタフェースケーブル
２１  画像形成装置
【図１】
2006268117.tif 000003
【図２】
2006268117.tif 000004
【図３】
2006268117.tif 000005
【図４】
2006268117.tif 000006
【図５】
2006268117.tif 000007
【図６】
2006268117.tif 000008
【図７】
2006268117.tif 000009
【図８】
2006268117.tif 000010
【図９】
2006268117.tif 000011